(57)【特許請求の範囲】
【請求項１】
第一部品グループ（１）と第二部品グループ（２）を有する角度測定装置において、その部品グループ（１，２）が互いの間で相対的に軸（Ａ）を中心に回転自在であり、その角度測定装置により、部品グループ（１，２）間の相対的角度位置を特定可能であり、第一部品グループ（１）が、
・目盛板（１．１１）が固定されていると共にシャフト（１０ａ；１０ｃ）を包囲して収容するためのキャリア要素（１．１ａ−１．１ｅ）
・接続要素（１．２ａ−１．２ｅ）、および
・キャリア要素（１．１ａ−１．１ｅ）に対して接続要素（１．２ａ−１．２ｅ）を固定する手段（１．３）、を含んでおり、
第二部品グループ（２）が、目盛板（１．１１）を走査検知するためのセンサ要素（２．１１）を含んでおり、
接続要素（１．２ａ−１．２ｅ）を固定する手段（１．３）および接続要素（１．２ａ−１．２ｅ）自体の間に、弾性部品（１．２１ａ；１．２１ｄ）が配設されており、
キャリア要素（１．１ａ−１．１ｅ）および接続要素（１．２ａ−１．２ｅ）が、軸（Ａ）を中心にした回転トルクを接続要素（１．２ａ−１．２ｅ）とキャリア要素（１．１ａ−１．１ｅ）間で形状合致して伝達できるようにすることにより、接続要素（１．２ａ−１．２ｅ）がキャリア要素（１．１ａ−１．１ｅ）と接続できるように構成されており、そのとき接続要素（１．２ａ−１．２ｅ）を固定する手段（１．３）を介して接続要素（１．２ａ−１．２ｅ）を、軸方向移動により形状合致位置に来させることができると共に、半径方向でシャフト（１０ａ；１０ｃ）に対して予圧することができる、ことを特徴とする角度測定装置。
【請求項２】
請求項１に記載の角度測定装置において、
半径方向予圧が、クサビ作用により生み出すことができる、ことを特徴とする角度測定装置。
【請求項３】
請求項２に記載の角度測定装置において、
接続要素（１．２ａ−１．２ｅ）を固定する手段（１．３）または接続要素（１．２ａ−１．２ｅ）自体が、クサビ作用を得るために傾斜形状（１．２３，１．３１）を有する、ことを特徴とする角度測定装置。
【請求項４】
請求項１乃至３のいずれかに記載の角度測定装置において、
接続要素（１．２ａ−１．２ｅ）を固定する手段（１．３）が、閉じたリングとして構成されている、ことを特徴とする角度測定装置。
【請求項５】
請求項４に記載の角度測定装置において、
接続要素（１．２ａ−１．２ｅ）を固定する手段（１．３）が内側ネジを有する、ことを特徴とする角度測定装置。
【請求項６】
請求項１乃至５のいずれかに記載の角度測定装置において、
角度測定装置が、接続要素（１．２ａ−１．２ｅ）がキャリア要素（１．１ａ−１．１ｅ）の軸方向一端部に係合し、そしてキャリア要素（１．１ａ−１．１ｅ）の軸方向他端部に、シャフト（１０ａ；１０ｃ）と摩擦結合により接続できる面（Ｆ）がつくられているように構成されている、ことを特徴とする角度測定装置。
【請求項７】
請求項１乃至６のいずれかに記載の角度測定装置において、
接続要素（１．２ａ−１．２ｅ）を固定する手段（１．３）が、軸方向から操作できる、ことを特徴とする角度測定装置。
【請求項８】
請求項１乃至７のいずれかに記載の角度測定装置において、
接続要素（１．２ａ−１．２ｅ）が、軸（Ａ）の方に向いた側で、平坦面（１．２４）を有している、ことを特徴とする角度測定装置。
【請求項９】
請求項１乃至８のいずれかに記載の角度測定装置において、
接続要素（１．２ｃ）が、軸（Ａ）の方に向いた側で、突起（１．２６）を有している、ことを特徴とする角度測定装置。
【請求項１０】
請求項１乃至９のいずれかに記載の角度測定装置において、
角度測定装置が、互いが接続している複数の接続要素（１．２ｄ−１．２ｅ）を有している、ことを特徴とする角度測定装置。
【請求項１１】
請求項１０に記載の角度測定装置において、
接続要素（１．２ｄ−１．２ｅ）が、軸方向で弾性的に構成されている物体（１．４ｅ）により互いに接続されている、ことを特徴とする角度測定装置。
【発明の詳細な説明】
【技術分野】
【０００１】
本発明は、請求項１に記載のように、キャリア要素およびそれに固定された目盛板を含み、センサ要素を備えた走査検知ユニットにより目盛板の角度位置を検出できる角度測定装置に関するものである。
【背景技術】
【０００２】
当該種類の角度測定装置は、一つまたは複数の回転に亘ってシャフトの回転動作を測定するために使用される。そこで回転動作がインクリメンタルまたはアブソリュートのいずれかで検出され、出力される測定値は、それに従って一連の計数パルス、カウンタ値またはコードワードである。角度測定装置は、特に工作機械ないしマシニングセンタで、回転動作を測定するために使用される。僅か数秒の角度精度で回転角を特定することは、例えば工作機械の回転テーブルまたは旋回ヘッド、旋盤のＣ軸用だけでなく、印刷機械の印刷部分でも重要な意味を有している。光学的測定原理を使用する時には極度に精密な測定結果を達成できるので、決まって光学的測定システムと一緒に当該種類の角度測定装置が装備される。そのとき大抵、上に角度目盛ないし角度スケールが設けられている透明な目盛板が使用される。精密な測定結果という意味で目盛板は、測定するべき部品に精確に固定されていなければならない。
【０００３】
公開公報ＤＥ１０２１５９９７Ａ１号では、自動芯出しするクランプメカニズムを備えたエンコーダが公知であり、そこでは一つのシャフトが、目盛板用キャリア要素としてのエンコーダシャフトにより包囲されて収容されている。
【発明の概要】
【発明が解決しようとする課題】
【０００４】
本発明の課題は、最初に挙げた種類の角度測定装置を得ることであり、それにより確実性と精密度に関して最高の仕様を満すことができるものである。
【課題を解決するための手段】
【０００５】
この課題を本発明に従って、特許請求項１の特徴を有する角度測定装置を得ることにより解決する。
従って角度測定装置が、第一部品グループおよび第二部品グループを有しており、その部品グループが、互いの間で相対的に軸を中心に回転自在で支承されており、その角度測定装置により部品グループ間の相対的角度位置を特定できる。第一部品グループは、目盛板が固定されているシャフトを包囲して収容するキャリア要素を含んでいる。第一部品グループは更に、接続要素および、キャリア要素に対して相対的に接続要素を固定する手段を含んでいる。それに対して第二部品グループは、目盛板を走査検知するためにセンサ要素を含んでいる。キャリア要素および接続要素は、軸を中心にした回転トルクを接続要素とキャリア要素間で形状合致して伝達できるようにすることにより、接続要素がキャリア要素と有効接続できるように構成されており、そのとき接続要素を固定する手段を介して接続要素を、軸方向移動により形状合致位置に来させることができると共に、半径方向でシャフトに対して予圧することができる。
【０００６】
接続要素は、接続要素を固定する手段により、まず軸方向でキャリア要素に当てて押さえられるが、そのときシャフト上のキャリア要素は、例えばストッパにより軸方向で位置決めされているので、シャフトに対する相対的なキャリア要素の移動が制限されている。そしてその手段が、軸方向で更に比較的僅かの移動をすると、対応する弾性により接続要素とシャフト間で半径方向予圧をかけることができる。
【０００７】
目盛板としては例えば、リング形状の物体またはリング又は円セグメント形状の物体と解釈し、それに角度目盛ないし角度スケールが設けられている。
キャリア要素は、中空シャフトとして構成されていると好ましく、それによりキャリア要素の中空円筒空間の中に、シャフトを包囲して収容することができる。
【０００８】
本発明によれば、接続要素とキャリア要素間で生み出すことができる有効接続が、キャリア要素に半径方向で著しい予圧を生み出さないので、角度位置の特定時にキャリア要素の半径方向変形による測定誤差が抑えられる。特にキャリア要素、接続要素および、接続要素を固定する手段が、鋼でつくられていることのある別個の三つの構成要素ないし部品である。角度測定装置とシャフトの接続は、解除自在の接続として構成されており、キャリア要素、接続要素、固定のための手段、およびシャフトが、再び互いを分離できると利点がある。シャフトも同じく鋼でつくられていることがある。
【０００９】
接続要素が、シャフトおよび／またはキャリア要素と較べて、高い硬度を有していると利点がある。固定のための手段が、シャフトおよび／またはキャリア要素と較べて、同じく高い硬度を有していることがある。
【００１０】
接続要素とキャリア要素間で軸を中心にした回転トルクを伝達するために、接続要素とキャリア要素が互いに接触する伝導面を有しており、その向きが軸平行な方向を有している、ないしその法線ベクトルが軸に対して接線方向の方向成分を有している。伝導面は、平面または彎曲で、例えば円筒の外面として構成されていることがある。
【００１１】
本発明の別の構成では半径方向予圧を、特に接続要素を固定する手段と接続要素間のクサビ作用により生み出すことができる。加えて角度測定装置は、接続要素を固定する手段または接続要素自体が、それぞれクサビ作用を得るために傾斜形状を有するように構成されていることがある。代替として接続要素を固定する手段および接続要素自体もが、傾斜形状を有していることがある。その傾斜形状は、例えば傾いた平坦面または円錐面の部分セグメントとして構成されていることがある。
【００１２】
角度測定装置は、接続要素を固定する手段が閉じたリングとして形成されているように構成されていると利点がある。以下において閉じたリングの意味は特に、その手段が内側に開口を備え３６０°に亘って取り巻く完全な形状を有していると解釈する。更に接続要素を固定する手段が、内側ネジを有していることがある。その内側ネジは特に、その手段をシャフトナット原理に従い、シャフトに螺合可能であるように構成されていることがある。
【００１３】
利点ある方法では角度測定装置が、接続要素を固定する手段および接続要素自体の間に配設されている弾性部品を含んでいる。弾性部品として例えばプラスチック部品またはエラストマ部品、例えばゴム製を使用することができる。代替または補完として波状バネまたは皿状バネ部品を、この位置に使用することもある。
【００１４】
当然のことながらキャリア要素は、その軸方向の範囲において第一および第二端部を有している。従って角度測定装置は、接続要素がキャリア要素の軸方向一端部に係合し、そしてキャリア要素の軸方向他端部に、シャフトないしシャフトの段差と摩擦結合により有効接続できる面がつくられているように構成されていることがある。
【００１５】
角度測定装置が、接続要素を固定する手段を軸方向から操作できるように、構成されていると利点がある。特にその手段は、軸方向から押し進める工具により操作できるように構成されていることがある。それにより、接続要素を固定する手段に半径方向から接近する可能性を不要にすることができる。
【００１６】
本発明の別の構成では接続要素とキャリア要素間の形状合致接続を、スキマ嵌め又はトマリ嵌めを使用して生み出すことができる。このようにすることで形状合致接続によりキャリア要素に、許容できない応力がかからないことが確保できる。従って形状合致接続により、測定精度の低下に至り兼ねないキャリア要素の変形が全く起きない。
【００１７】
接続要素が、規定に従った用法で軸の方に向いた側で、平坦面を有していると利点があり、それにより、これがシャフトの別の平坦面と一緒で機能することができる。
更に接続要素が、規定に従った用法で軸の方に向いた側で、それぞれ半径方向で突出するまたは後退している突起または溝を有していることがある。
【００１８】
本発明の別の構成において、キャリア要素の全周に配分された複数の接続要素が配設されていることがある。しかしそれにも拘わらずこの構造では、接続要素を固定する単一手段を一つだけ使用することができる。特に紛失防止の意味で接続手段が、例えばリング体またはバネまたは口の開いたバネワイヤのような取り巻き物体により、互いに接続されていると利点がある。その物体またはリング体が軸方向で弾性があり、それにより接続要素を固定する手段を操作する時に弾性的に変形自在であると利点がある。その弾性的変形は、軸方向における物体ないしリング体の圧縮に相当することがある。そして同時に接続要素を、円周方向でキャリア要素の伝導面に当てて押さえることがある。
【００１９】
本発明で更なる利点のある構成は、従属請求項から分かる。
本発明の別の特徴および利点は、以下において図面を使った複数の実施例についての説明で明らかになる。
【図面の簡単な説明】
【００２０】
【図１】角度測定装置の部分長手方向断面図。
【図２】Ｂ−Ｂで見た角度測定装置の部分横方向断面図
【図３】角度測定装置の接続要素が付いた詳細外観図。
【図４】角度測定装置の接続要素が付いた拡大詳細外観図。
【図５】第二実施例による、角度測定装置の接続要素が付いた拡大詳細外観図。
【図６】第三実施例による、角度測定装置の接続要素が付いた拡大詳細外観図。
【図７】第四実施例による、リングと一緒になった複数の接続要素の上部外観図。
【図８】第四実施例による、リングが付いた接続要素の上からの断面図。
【図９】第四実施例による、角度測定装置の接続要素が付いた詳細外観図。
【図１０】第五実施例による、リングと一緒になった複数の接続要素の上部外観図。
【図１１】第五実施例による、リングが付いた接続要素の上からの断面図。
【図１２】第五実施例による、角度測定装置の接続要素が付いた詳細外観図。
【発明を実施するための形態】
【実施例１】
【００２１】
以下において同じ部品では、同じ参照符号を使用する。図１では、角度測定装置の部分長手方向断面図を図示している。その角度測定装置は第一部品グループを含んでおり、それを呈示の実施例ではロータ１と呼ぶことがある。ロータ１は、軸Ａを中心にして第二部品グループに対して相対的に回転自在であり、ここで第二部品グループは、ステータ２として構成されている。
【００２２】
角度測定装置のロータ１は、ここでは中空シャフトとして構成されているキャリア要素１．１ａを含んでおり、その中空円筒状内側空間が、測定するシャフト１０ａを回転固定して収容するために設けられているので、シャフト１０ａをキャリア要素１．１ａが包囲している（図２も参照）。ロータ１ないしキャリア要素１．１ａには、角度スケールを装備した目盛板１．１１が強固な接着接合により固定されている。目盛板１．１１はガラス材料でつくられており、角度スケールが、リング状に循環して目盛板１．１１の正面側に配設されている。角度スケールは、インクリメントの角度目盛として、および／またはアブソリュートの角度コードとして形成されていることがある。更に云えば、軸Ａが目盛板１．１１の幾何学的回転軸にもなっている。鋼でつくられているキャリア要素１．１ａには、更に転がり軸受３の内輪が固定されている。この内輪は転動体用の、特にボール用の軌道面を含んでいる。ここで示す転がり軸受３は、特にその回転運動に関して極度に高い精度を有している。
【００２３】
キャリア要素１．１ａは更に、９０°オフセットして全周に亘って配分された合計４つの切り欠き部１．１２ａを含んでおり、その切り欠き部１．１２ａの一つを、例えば図３でも図示している。これらの切り欠き部１．１２ａの中に、接続要素１．２ａの突起１．２２ａがそれぞれ突出している。突起１．２２ａの幅および切り欠き部１．１２ａの幅−それぞれ円周方向で見て−は、切り欠き部１．１２ａに突起１．２２を挿入する時にトマリ嵌め又はスキマ嵌めとなるような寸法になっている。接続要素１．２ａは側面外観でｚ字形状を有しており、接続要素１．２ａの脚部は傾斜形状１．２３を有しており、ここで示す実施例では形状的に円錐体外面の部分セグメントである。この傾斜形状１．２３に対向して半径方向内側に、接続要素１．２ａは平坦面１．２４を有している。加えて接続要素１．２ａには弾性部品１．２１ａが配設されており、それは実施例によればゴム要素として形成されている。キャリア要素１．１ａで切り欠き部１．１２ａの軸方向反対側にある軸方向端部は、図１によればリング形状をした平坦な側面１．１３となっている。
【００２４】
加えてロータ１は、キャリア要素１．１ａに対して相対的に接続要素１．２ａを固定する手段を含んでおり、それは実施例によれば内側ネジを備えた完全リング１．３として構成されている。更にリング１．３は、その内面に円錐面１．３１を有している（図４）。
【００２５】
以上に対して図１によるステータ２は、ケーシング２．４を有しており、それが通常、測定で使用するために機械部分に堅固に固定され、そして環境の影響から角度測定装置の内部空間を保護するために使用される。これに関して更にシール２．５が、キャリア要素１．１ａとケーシング２．４の間に設けられている。ケーシング２．４の中には、ＬＥＤ２．２、コンデンサ２．３、走査検知基板２．１を含む所謂、走査検知ユニットがあり、そこで内蔵回路を備えたセンサ要素２．１１が、走査検知基板２．１に取り付けられている。内蔵回路を備えたセンサ要素２．１１は、ここでは所謂、オプトＡＳＩＣとして構成されている。光源として使用されるＬＥＤ２．２が光を送り、コンデンサ２．３を通過して、その後に目盛板１．１１を通過する。ＬＥＤ２．２、コンデンサ２．３、センサ要素２．１１は、ステータ２に、即ち、角度測定装置の第二部品グループに配分されている。それに対して目盛板１．１１は、既に述べたように回転自在のキャリア要素１．１ａに固定されている。即ち、光源２．２とセンサ要素２．１１間に配設されている目盛板１．１１は、入射した光をキャリア要素１．１ａの角度位置に対応して、その角度スケールを介して変調することができる。変調された光は最終的に、センサ要素２．１１のフォトディテクタに当たる。この走査検知により、キャリア要素１．１ａないしシャフト１０ａの角度位置についての情報を含む光電信号が発生する。光電的につくり出された信号は、センサ要素２．１１の内蔵回路により後処理される。後処理された位置信号は、最終的にケーブルを介して別の機器、例えば機械の制御装置に出力される。このような光学原理に従って機能する角度測定装置は、キャリア要素１．１ａとステータ２間の角度位置を、数秒の角度精度ないしその１／１０の角度精度で測定する。従って重要なことは、走査検知ユニットの構成部品および目盛板１．１１が、極度に精密に互いの間で位置決めされていること、および目盛板１．１１が、走査検知ユニットに対して相対的に非常に精確に回転自在で支承されていることである。
【００２６】
回転に対しては固定である補正（或いは補償）カップリング２．６の一部分が、ケーシング２．４と螺合接続により固く接続されている。更に補正カップリング２．６の別の部分が、走査検知ユニットに固定されている。転がり軸受３の外輪が、同じく走査検知ユニットに固定されている。実際の使用では測定するシャフト１０ａおよび、ケーシング２．４が固く取り付けられてる機械部分が、互いの間で精確な方向を向いていない。補正カップリング２．６を使用することにより、測定するシャフト１０ａを角度測定装置のキャリア要素１．１ａに堅固に回転固定して取り付けることができる一方、ケーシング２．４を機械部分に固く取り付けることができる。例えば偏心または芯出し不良による軸受３に対する許容出来ない大きな負荷は、軸方向と半径方向で弾力性のある補正カップリング２．６により回避することができる。
【００２７】
シャフト１０ａに角度測定装置を取り付けるに当たっては、最初にキャリア要素１．１ａをシャフト１０ａ上で、キャリア要素１．１ａの側面１．１３がシャフト１０ａの段差に当接するまで押し込む。その後で接続要素１．２ａを取り付けるが、その方法は、まず接続要素１．２ａの突起１．２２ａそれぞれを、キャリア要素１．１ａの切り欠き部１．１２ａに挿入し、そして同時に当該接続要素１．２ａの平坦面１．２４が、シャフト１０ａで軸平行な平坦化部分１０．１に来るようにする。それにより、接続要素１．２ａの平坦面１．２４が軸Ａに平行に向いている。その後にリング１．３をシャフト１０ａに螺合する。螺合過程の終わりには、キャリア要素１．１ａがその側面１．１３でシャフト１０ａの対応段差に押し付けられた後に、弾性部品１．２１ａが圧縮され、そして接続要素１．２ａが軸方向に移動される。リング１．３を更に移動するとリング１．３の内側にある円錐面１．３１が、接続要素１．２ａの傾斜形状１．２３に接触する。即ち、接続要素１．２ａは、リング１．３を介した軸方向移動により、最終的な形状合致位置にきて、クサビ作用により半径方向でシャフト１０ａに対して予圧される。そのクサビ作用は、傾斜形状１．２３が円錐面１．３１と相互に作用して発生する。
【００２８】
加えて側面１．１３では、シャフト１０ａの段差との摩擦結合が生まれるが、そこで必要な摩擦力は、摩擦係数および軸方向の力からリング１．３の軸方向移動の結果として生じる。通常使用においては角度測定装置を駆動するための、即ち、ブレーキトルクに打ち勝つために必要な回転トルクが、この摩擦結合により伝達される。滑りに抗する完全な確実性を得るために、ここで追加して有効接続をつくり出して、軸Ａを中心にした回転トルクを接続要素１．２ａとキャリア要素１．１ａ間で形状合致して伝達することができるようにする。これは、突起１．２２ａが切り欠き部１．１２ａと一緒で、軸に平行な伝導面で接触して相互に作用することにより達成される。新しい構造により、目盛板１．１１が付いたキャリア要素１．１ａには半径方向の力が導かれないので、それが角度測定装置の精度向上に寄与する。上記で述べたように角度測定装置の通常使用では、キャリア要素１．１ａの回転運動がその側面１．１３での摩擦結合により角度に忠実に導かれる。形状合致した有効接続は、非常時に初めて確実性を維持するためにアクティブになる。従ってこれは、どうしても一定の範囲でガタを有しており、安全技術的な観点から非常運転時に角度で何秒または何分を許容できるかに関係する。他方で形状合致した有効接続という追加機構が、同時に半径方向で予圧する時に、通常使用における角度測定装置の測定精度を損ねることはない。
【００２９】
この新しい形式の角度測定装置構造は、シャフト１０ａと接続要素１．２ａ間の半径方向予圧の作用する範囲が、転がり軸受３に対して軸方向でオフセットして配設されていることも特徴としている。即ち、特に平坦化部分１０．１と平坦面１．２４が、転がり軸受に対して軸方向でオフセットして配設されている。結果として回転トルクを形状合致して伝達する有効接続の場所も、シャフト１０ａと接続要素１．２ａ間の半径方向予圧が作用する範囲に対して相対的に、軸方向でオフセットして配設されている、あるいは平坦化部分１０．１に対して、そして平坦面１．２４に対してオフセットして配設されている。
【実施例２】
【００３０】
以下における別の実施例についての説明は、基本的に他の実施例に対して、殊に上記した第一実施例に対して異なっている状況に限っている。
第二実施例（図５）による角度測定装置は、第一実施例と較べて一部修正されたキャリア要素１．１ｂおよび変更された接続要素１．２ｂを有している。角度測定装置の他の構成部品は、第一実施例に対して構造的に同じと見なすことができる。ここでは特に弾性の向上を達成するために、接続要素１．２ｂが、接線方向で貫通する間隙１．２５を有しており、それにより材料の薄肉ないし固体ジョイントができている。その間隙１．２５は、軸Ａに対して４５°角度の方を向いていると好ましい。そこでキャリア要素１．１ｂは、半径方向で間隔を隔てた面で回転トルクを形状合致して伝達する有効接続の範囲において、これが接続要素１．２ｂ用のガイドとして機能するように構成されていることがある。間隙１．２５により、必要な曲げ剛性を達成することができるので、リング１．３の軸方向移動により、接続要素１．２ｂを形状合致位置にもってくることができる一方で、加えて接続要素１．２ｂが半径方向でシャフト１０ａに対して予圧される。
【実施例３】
【００３１】
図６では第三実施例による配設を示している。ここでは四つの接続要素が一部修正されており、その半径方向内側にある面１．２４でそれぞれリブ１．２６を有している。このリブ１．２６は、一部修正されたシャフト１０ｃの溝１０．２に係合することができる。そのとき溝１０．２とリブ１．２６の寸法は、これらが円周方向でガタなく接合可能である一方、軸方向と半径方向ではそれぞれ溝１０．２とリブ１．２６の壁面間で空隙があるようになっている。ここで記載の第三実施例に従う構造によれば、特にリング１．３を押し込む時に接続要素１．２ｃの傾くことが回避されるので、一方で組み立てを容易にすることができる。同時に溝１０．２とリブ１．２６により、シャフト１０ｃと接続要素１．２ｃ間で伝達可能な回転トルクを向上することができる。
【実施例４】
【００３２】
図７、８、９による第四実施例によれば接続要素１．２ｄは、リング体１．４ｄにより互いに繋がっている。そのリング体１．４ｄは、半径方向切り欠き部１．４１および分離接合部１．４２を有している。切り欠き部１．４１および分離接合部１．４２によりリング体１．４ｄを、組み付けのために弾性的に拡張することができる。今まで紹介した実施例を一部修正して、ここで接続要素１．２ｄが円錐状突起１．２２ｄを有している。図９で示すように円錐状突起１．２２ｄは、リング１．３を動かすことにより円環状の弾性部品１．２１ｄを介して、キャリア要素１．１ｄの円錐状切り欠き部１．１２ｄそれぞれに押し込まれる。それにより、接続要素１．２ｄとキャリア要素１．１ｄ間で円周方向にガタのない接続をつくり出すことができるので、接続要素１．２ｄとキャリア要素１．１ｄ間で軸Ａを中心とした回転トルクを、形状合致して伝達することができる。この実施例でも接続要素１．２ｄおよびキャリア要素１．１ｄが、互いに接触する伝導面を有しており、その法線ベクトルがそれぞれ軸に対して接線方向の方向成分を有しており、同時に伝導面が、ここでは軸に対して相対的に傾斜して配設されている。
【実施例５】
【００３３】
図１０〜１２では第五実施例による構造を示している。ここでも接続要素１．２ｅが、リング体１．４ｅにより互いに繋がっている。しかしリング体１．４ｅが、ここでは二つの接続要素１．２ｅ間範囲の二箇所で彎曲形状を有している、即ち、リング体１．４ｅが軸方向の彎曲部を有している。更に接続要素１．２ｅは、突起１．２２ｅを有しており、それが円周方向でキャリア要素１．１ｅの切り欠き部１．１２ｅと較べて、小さい寸法を有している。ここでもリング体１．４ｅに円周方向の弾性部品１．２１ｄが配設されているが、リング体１．４ｅに軸方向弾性があるので当該実施の時には、これを廃止することもできる。リング１．３が回転して軸方向で移動すると、二つの彎曲部は、軸Ａに対して直角に向いている面で押さえられる。それにより彎曲部に隣接する接続要素１．２ｅが接線方向に移動し、対応して円周方向で突起１．２２ｅが移動することになる。キャリア要素１．１ｅと接続要素１．２ｅ、特に突起１．２２ｅは、組み付けられた状態で突起１．２２ｅが、対応する切り欠き部１．１２ｅの壁面ないし伝導面に対して押し付けられるような寸法になっている。以上のようにして円周方向での形状合致した接続がつくられるので、接続要素１．２ｅとキャリア要素１．１ｅ間で軸Ａを中心とした回転トルクが、形状合致して、そして両方の回転方向に対してガタなしで伝達できる。
【００３４】
勿論、種々の実施例で一部変化された個々の構成部品を組み合わせる、ないし入れ替えることができることは自明である。そして例えば初めの三つの実施例による接続要素１．２ａ，１．２ｂ，１．２ｃが、同じく円錐状突起１．２２ｄを有していることもあり、対応して合わせたキャリア要素１．１ａ，１．１ｂ，１．１ｃと一緒で機能することができる。
【符号の説明】
【００３５】
１  ロータ
１．１  キャリア要素
１．１１  目盛板
１．１２  切り欠き部
１．１３  側面
１．２  接続要素
１．２１  弾性部品
１．２２  突起
１．２３  傾斜形状
１．２４  平坦面
１．２５  間隙
１．２６  リブ
１．３  リング
１．３１  円錐面
１．４  リング体
１．４１  切り欠き部
１．４２  分離接合部
２  ステータ
２．１  走査検知基板
２．１１  センサ要素
２．２  ＬＥＤ
２．３  コンデンサ
２．４  ケーシング
２．５  シール
２．６  補正カップリング
３  転がり軸受
１０  シャフト
１０．１  平坦化部分
１０．２  溝
【図１】
0005865082.tif 000002
【図２】
0005865082.tif 000003
【図３】
0005865082.tif 000004
【図４】
0005865082.tif 000005
【図５】
0005865082.tif 000006
【図６】
0005865082.tif 000007
【図７】
0005865082.tif 000008
【図８】
0005865082.tif 000009
【図９】
0005865082.tif 000010
【図１０】
0005865082.tif 000011
【図１１】
0005865082.tif 000012
【図１２】
0005865082.tif 000013